(57)【要約】【課題】  本考案は、インプラント体による義歯の装着構造に関し、特にインプラント体の植立方向に関係なく義歯の安定性を確保しつつ容易に装着することができる義歯の装着構造を提供することを目的とする。また、歯槽骨が吸収してインプラント体の植立が困難な場合や入れ歯が不安定となった場合であっても、容易に義歯を安定的に装着することができる装着構造を提供することを目的とする。【解決手段】  インプラント体による義歯の装着構造であって、インプラント体１１が球状部１３を備え、義歯１２が、義歯１２の装着面側に吸盤１７を備え、球状部１３に吸盤１７を吸着させることにより、インプラント体１１に義歯１２を装着することを特徴とする義歯の装着構造１である。【選択図】  図１ 
0003114936.tif 000002
【実用新案登録請求の範囲】
【請求項１】
インプラント体による義歯の装着構造であって、
前記インプラント体が球状部を備え、
前記義歯が、該義歯の装着面側に吸盤を備え、
前記球状部に前記吸盤を吸着させることにより、前記インプラント体に前記義歯を装着することを特徴とする義歯の装着構造。
【請求項２】
前記インプラント体が、歯列弓に沿って歯肉を貫通して埋設され、前記インプラント体の一端に前記球状部を備え、他端に抜け止め防止部材が装着された請求項１に記載の義歯の装着構造。
【請求項３】
前記抜け止め防止部材が抜け止め球状部を備える請求項２に記載の義歯の装着構造。
【請求項４】
前記インプラント体が、前記球状部の直下に鍔部を備える請求項１乃至請求項３の何れかに記載の義歯の装着構造。
【請求項５】
前記インプラント体が、フィクスチャーと、該フィクスチャーに連結されるアバットメントとを含んで構成され、
前記アバットメントが、前記球状部を備える請求項１に記載の義歯の装着構造。
【請求項６】
前記フィクスチャーが、歯列弓に沿って歯肉を貫通して埋設され、前記フィクスチャーの一端に前記アバットメントが連結され、他端に前記アバットメント又は前記抜け止め防止部材が装着された請求項５に記載の義歯の装着構造。
【請求項７】
前記アバットメントが、前記球状部の直下に鍔部を備える請求項５又は請求項６に記載の義歯の装着構造。
【考案の詳細な説明】
【技術分野】
【０００１】
本考案は、インプラント体による義歯の装着構造に関する。
【背景技術】
【０００２】
従来、歯の欠損部の治療方法としては、ブリッジや入れ歯による治療が殆どであった。ブリッジによる治療では、義歯が固定式であるため装着時の違和感が少ない反面、ブリッジを支えて固定するために、欠損部の両隣の歯を削る必要がある。また、ポンティックの下部の歯肉との間に食べ物カスが詰まり易く、口腔内が不衛生になり易いといった問題もある。一方、入れ歯による治療は、部分入れ歯や総入れ歯のように、ブリッジでは対応できないような大きな欠損部にも適用でき、ブリッジのように健全な歯を削る必要もない。しかし、部分入れ歯の場合は健全な歯にバネを掛けて装着するため、バネを掛けた歯に過大な負担がかかると共に違和感を強く感じる。また、総入れ歯は歯肉との吸着で支えられているため、脱落や位置ずれを生じ易い。
【０００３】
そこで近年では、インプラント治療が増加しており、種々のインプラント体が開示されている（例えば、特許文献１及び特許文献２参照。）。インプラント体による一般的な治療方法は、まず歯槽骨に縦方向に開けた孔にインプラント体の部品（＝フィクスチャー）を植立して、フィクスチャーにインプラント体の部品（＝アバットメント）を連結し、最後にアバットメントの上に人工歯冠（義歯）を被せるというものである。そして、インプラント体に義歯を装着、固定するにあたって、特許文献１や特許文献２に開示されたインプラント体では何れも磁石が用いられているため、義歯の着脱が容易であり、義歯の清掃やインプラント体のメンテナンス等を容易に行い得る。
【特許文献１】特開２０００−２４００４号公報（請求項1、図1）
【特許文献２】登録実用新案第３００７２７２号公報（請求項１、図４）
【考案の開示】
【考案が解決しようとする課題】
【０００４】
しかし、インプラント治療においては、歯槽骨にフィクスチャーを植立するための適度な厚みが必要であり、歯槽骨が吸収して少ない場合には、十分な長さのフィクスチャーを植立することができない。一方で、骨量は十分であっても、特許文献１及び特許文献２のように、義歯の結合面が、フィクスチャーの植立方向、即ちフィクスチャーの軸方向に対して垂直面をなすようにフィクスチャーを植立できるとは限らない。フィクスチャーの植立位置が口腔内の奥に位置する場合等にはフィクスチャーの植立が特に困難となる。しかし、結合面がフィクスチャーの軸方向に対して垂直面をなすように、結合面を予めフィクスチャーの軸方向に対して傾斜させて製作することは更に困難を極める。
【０００５】
また、従来の入れ歯、特に総入れ歯は上記のとおり歯肉との吸着によって支えられているが、歯槽骨の吸収によって歯肉との吸着面を確保することが困難となり、入れ歯は不安定感を増し、脱落や位置ずれが更に生じ易くなる。
【０００６】
そこで本考案は、インプラント体による義歯の装着構造に関し、特にインプラント体の植立方向に関係なく義歯の安定性を確保しつつ容易に装着することができる義歯の装着構造を提供することを目的とする。また、歯槽骨が吸収してインプラント体の植立が困難な場合や入れ歯が不安定となった場合であっても、容易に義歯を安定的に装着することができる装着構造を提供することを目的とする。
【課題を解決するための手段】
【０００７】
即ち、本考案の要旨とするところは、インプラント体による義歯の装着構造であって、前記インプラント体が球状部を備え、前記義歯が、該義歯の装着面側に吸盤を備え、前記球状部に前記吸盤を吸着させることにより、前記インプラント体に前記義歯を装着することを特徴とする義歯の装着構造である。
【０００８】
かかる義歯の装着構造において、前記インプラント体が、歯列弓に沿って歯肉を貫通して埋設され、前記インプラント体の一端に前記球状部を備え、他端には抜け止め防止部材が装着され得る。
【０００９】
かかる義歯の装着構造において、前記抜け止め防止部材が抜け止め球状部を備え得る。
【００１０】
かかる義歯の装着構造において、前記インプラント体が、前記球状部の直下に鍔部を備えることが好ましい。
【００１１】
かかる義歯の装着構造において、前記インプラント体が、フィクスチャーと、該フィクスチャーに連結されるアバットメントとを含んで構成され、前記アバットメントが、前記球状部を備える態様であってもよい。
【００１２】
かかる義歯の装着構造において、前記フィクスチャーが、歯列弓に沿って歯肉を貫通して埋設され、前記フィクスチャーの一端に前記アバットメントが連結され、他端には前記アバットメント又は前記抜け止め防止部材が装着され得る。
【００１３】
かかる義歯の装着構造において、前記アバットメントが、前記球状部の直下に鍔部を備えることが好ましい。
【考案の効果】
【００１４】
本考案の義歯の装着構造によると、インプラント体（フィクスチャー）の植立方向に関係なく、インプラント体（アバットメント）が備える球状部に、義歯が備える吸盤を吸着するのみで、義歯の安定性を確保しつつ容易に義歯を装着することができる。
【００１５】
また、本考案によると、歯槽骨が吸収してインプラント体（フィクスチャー）の植立が困難な場合や入れ歯が不安定となった場合であっても、義歯を容易且つ安定的に装着可能な装着構造を提供することができる。
【考案を実施するための最良の形態】
【００１６】
以下、本考案の実施形態を図面に基づいて説明するが、本考案の実施形態は以下に示したものに限定されない。
【００１７】
図１に、本実施の形態に係る義歯の装着構造の断面模式図を示す。図１に示した義歯の装着構造１は、インプラント体１１と、インプラント体１１に装着される義歯１２とで主に構成される。チタン、チタン合金等から成るインプラント体１１は球状部１３を備えており、この球状部１３を備えるインプラント体１１は、球状部１３が口腔内に露出するように、歯の欠損部に位置する歯槽骨１４に植立される。なお、歯槽骨１４へのインプラント体１１の植立方法は特に限定されず、公知のあらゆる方法で植立することができる。
【００１８】
一方、インプラント体１１に装着される義歯１２は、人工歯１５、義歯床１６、及びインプラント体１１へ装着するための吸盤１７で構成されている。特に、本考案に係る義歯１２は、従来の入れ歯が備えるバネのような装着手段ではなく、義歯１２の装着面側、即ち義歯床１６の裏面側に吸盤１７を備えている。そして義歯１２は、インプラント体１１が備える球状部１３に吸盤１７を吸着させることによって装着される。
【００１９】
上記のように、本考案の義歯の装着構造１によると、インプラント体１１が備える球状部１３に義歯１２が備える吸盤１７を吸着させるのみで、インプラント体１１に義歯１２を容易且つ安定的に装着することができる。また、従来の部分入れ歯に係るバネのような装着手段を必要としないため、健全な歯に過大な負担がかからず、違和感も少ない。更に、義歯１２は吸盤１７で装着されているため取り外しも可能であり、義歯１２の清掃やイプラント体１１のメンテナンス等も容易に行い得る。
【００２０】
また更に、本実施の形態に係る義歯の装着構造１によれば、義歯１２の装着箇所、具体的には義歯１２が備える吸盤１７を吸着させる箇所が、インプラント体１１が備える球状部１３、即ち平面でなく球状であるため、図３に示すように、インプラント体１１の植立方向に関係なく、義歯１２を咬合方向に合わせて装着することができる。特に、インプラント体１１の植立位置が口腔内の手前や奥に位置する場合、歯槽骨が吸収してインプラント体１１を植立するための骨量が不足している場合等、必ずしもインプラント体１１の植立位置において、咬合方向に合わせてインプラント体１１を植立することができない場合であっても、本実施の形態に係る義歯の装着構造１を適用することによって、義歯１２を咬合方向に合わせて容易且つ安定的に装着することができる。
【００２１】
以上、本実施の形態に係る義歯の装着構造１について詳述したが、本考案は上述の態様に限定されない。
【００２２】
図４に、本考案の他の実施形態の断面模式図を示す。図４に示した義歯の装着構造２は、インプラント体４１と、インプラント体４１に装着される義歯（不図示）とで主に構成され、歯槽骨１４が吸収してインプラント体１１（図１参照）の植立が困難な場合に好適に使用し得る。チタン、チタン合金等から成るインプラント体４１は、略Ｕ字状の外形をなし、その一端に球状部１３を備える。そしてインプラント体４１は、球状部１３が口腔内に露出するように、歯槽骨１４が吸収してしまった複数本の歯の欠損部に位置する歯肉４３を、歯列弓に沿って貫通して埋設され、インプラント体４１の他端に、抜け止め球状部１３ａを備える抜け止め防止部材４２が装着されることによって、歯肉４３に埋設される。
【００２３】
本実施の形態に係る義歯の装着構造２によると、歯槽骨１４が吸収してしまい、歯槽骨１４にインプラント体１１を植立することが困難な箇所においても、義歯を装着するための球状部１３、抜け止め球状部１３ａを配置することが可能となる。特に、総入れ歯の場合には、歯槽骨１４が吸収することによって歯肉４３との密着性が確保できなくなり、脱落や位置ずれを生じやすくなるが、義歯の装着構造２を適用することによって、インプラント体４１が従来のアタッチメントの役割を果たし、総入れ歯を容易且つ安定的に装着することができる。更に、総入れ歯や部分入れ歯等の義歯は、これらの義歯に設けた吸盤を球状部１３、抜け止め球状部１３ａに吸着させることによって装着されるため、取り外しも可能であり、義歯の清掃やイプラント体４１のメンテナンス等も容易に行い得る。
【００２４】
なお、上記の実施形態に係るインプラント体１１、４１では、インプラント体１１、４１の一端に球状部１３を一体に備えているが、本考案に係るインプラント体はこれらの態様に限定されない。例えば、図２に示したように、歯槽骨に植立されるフィクスチャー２２と、フィクスチャー２２に連結され且つ球状部１３を備えるアバットメント２３とから構成されるインプラント体２１のような態様であってもよい。なお、フィクスチャー２２へアバットメント２３を連結する方法は特に限定されないが、例えば、フィクスチャー２２に形成されたネジ穴２４に、アバットメント２３が備える雄ネジ２５を螺合することによって、フィクスチャー２２とアバットメント２３とを連結することができる。
【００２５】
また、図４に示した義歯の装着構造２に係るインプラント体４１の態様においても、インプラント体４１を略Ｕ字状のフィクスチャー（不図示）及び上記のアバットメント２３で構成し、フィクスチャーの一端又は両端にアバットメント２３を連結することによって、歯肉に埋設されたフィクスチャーを固定できると共に、義歯を装着するための球状部１３を口腔内に設置することができる。なお、フィクスチャーの一端にのみアバットメント２３を装着した場合には、当該フィクスチャーの他端には、上記の抜け止め防止部材４２が装着される。また、義歯の装着構造２の態様において、インプラント体４１の他端に装着される抜け止め防止部材４２の代わりにアバットメント２３が装着されてもよい。
【００２６】
更に、インプラント体１１、４１、及びアバットメント２３は、各図に示したように、各々が備える球状部１３の直下に鍔部１８、２６を備えていることが好ましい。必ずしも鍔部１８、２６を備えていなくともよいが、インプラント体１１等が鍔部１８等を備えていることによって、インプラント体１１、２１、４１等の歯槽骨１４や歯肉４３内への沈み込みを防止できると共に、咬合力によるインプラント体のぐらつきも防止できる。
【００２７】
また更に、義歯の装着構造２に係る抜け止め防止部材４２は抜け止め球状部１３ａを備えた態様に限定されず、抜け止め球状部１３ａのない平板状の抜け止め防止部材のような態様であってもよい。
【００２８】
以上、本考案の組立式建物の種々の態様について説明したが、本考案はその趣旨を逸脱しない範囲で、当業者の知識に基づき種々の改良、修正、変形を加えた態様で実施し得るものである。
【図面の簡単な説明】
【００２９】
【図１】本考案の義歯の装着構造の一態様を示す断面模式図である。
【図２】本考案に係るインプラント体の他態様を示す断面模式図である。
【図３】本考案に係るインプラント体の種々の植立態様を示す断面模式図である。
【図４】本考案の義歯の装着構造の他態様を示す断面模式図である。
【符号の説明】
【００３０】
１、２：義歯の装着構造
１１、２１、４１：インプラント体
１２：義歯
１３：球状部
１３ａ：抜け止め球状部
１４：歯槽骨
１５：人工歯
１６：義歯床
１７：吸盤
１８、２６：鍔部
２２：フィクスチャー
２３：アバットメント
４２：抜け止め防止部材
４３：歯肉
【図１】
0003114936.tif 000003
【図２】
0003114936.tif 000004
【図３】
0003114936.tif 000005
【図４】
0003114936.tif 000006